(57)【要約】【課題】所定の位置又は時間における物の状態を、コードデータとして、物に付与された記憶媒体に累積的に書き込むコードデータ書き込み装置を提供する。【解決手段】コードデータシステム１は、コードデータ書き込み装置１０（ａ，ｂ，及びｃ）と、データ格納装置３０（ａ，ｂ，及びｃ）とを有する。コードデータ書き込み装置１０は、通信ネットワーク４０を介して、データ格納装置３０に接続している。コードデータ書き込み装置１０は、流通過程にある物２０に付与された記憶媒体２２にコードデータを書き込む。このとき、コードデータ書き込み装置１０は、通信ネットワーク４０を介してデータ格納装置３０から取得した情報、又はデータ格納装置３０が保有する情報を取得するための情報を含むコードデータを記憶媒体２２に書き込むこともできる。【選択図】図２
2014010595.tif 000002
【特許請求の範囲】
【請求項１】
現在の所定の位置又は時間における広告の状態を表わすコードデータを、過去のコードデータに連結させて、該広告に関連付けるステップ
を有する広告放送方法。
【請求項２】
現在の所定の位置又は時間における物の状態を表わすコードデータを、過去のコードデータに連結させて、該物に付与された記憶媒体に書き込む書き込み部
を有するコードデータ書き込み装置。
【請求項３】
外部装置と通信する通信部
をさらに有し、
前記書き込み部は、さらに、前記通信部を介して前記外部装置から取得した情報、又は外部装置が保有する情報を取得するための情報を含むコードデータを、過去のコードデータに連結させて、前記物に付与された記憶媒体に書き込む
請求項２に記載のコードデータ書き込み装置。
【請求項４】
前記コードデータは、少なくとも時間を表わす時間情報と、前記物が存在する場所を表わす場所情報と、外部装置が保有する情報を取得するための取得情報と、前記物の流通種別を表わす流通情報と、前記物の所有者を特定するための所有情報と、前記物の属性を表わす属性情報とを含む
請求項２に記載のコードデータ書き込み装置。
【請求項５】
前記書き込む部により書き込まれたコードデータを読み込む読み込み部
をさらに有し、
前記書き込み部は、現在の所定の位置又は時間における物の状態を表わすコードデータを、前記読み込み部により読み込まれたコードデータに連結させて、該物に付与された記憶媒体に書き込む
請求項２に記載のコードデータ書き込み装置。
【請求項６】
現在の所定の位置又は時間における物の状態を表わすコードデータを、過去のコードデータに連結させて、該物に付与された記憶媒体に書き込む機能
をコンピュータに実現させるプログラム。
【請求項７】
現在の所定の位置又は時間における物の状態を表わすコードデータを、過去のコードデータに連結させて、該物に付与された記憶媒体に書き込むステップ
を有するコードデータ書き込み方法。
【発明の詳細な説明】
【技術分野】
【０００１】
本発明は、コードデータ書き込み装置に関するものである。
【背景技術】
【０００２】
例えば、特許文献１には、顧客の郵便物を引き受ける引受局と、該引受局により引き受けた郵便物を所定の配達局に振り分ける中継局と、該中継局により振り分けられた郵便物を受取人に配達する配達局と、前記各局からの郵便物情報を中継するネットワークと、該ネットワークにより中継された情報を一括管理する中央局とを備え、前記引受局が引き受けた郵便物に関する少なくとも前記各局での到着情報及び発送情報を前記ネットワークを介して前記中央局に送信して記憶し、前記中央局に記憶された前記各局での到着情報及び発送情報の中から契約顧客に関連する情報のみを検索できるようにした郵便物追跡システムが開示されている。
【先行技術文献】
【特許文献】
【０００３】
【特許文献１】特開２００４−３５９４０３号公報
【発明の概要】
【発明が解決しようとする課題】
【０００４】
本発明は、所定の位置又は時間における物の状態を、コードデータとして、物に付与された記憶媒体に累積的に書き込むコードデータ書き込み装置を提供する。ここで、本出願における「物」とは、現実の物だけでなく、ウェブ上のコンテンツなどのように、仮想空間上の物やデータの集まりなども含む概念である。
【課題を解決するための手段】
【０００５】
本発明に係る広告放送方法は、現在の所定の位置又は時間における広告の状態を表わすコードデータを、過去のコードデータに連結させて、該広告に関連付けるステップを有する。
【０００６】
本発明に係るコードデータ書き込み装置は、現在の所定の位置又は時間における物の状態を表わすコードデータを、過去のコードデータに連結させて、該物に付与された記憶媒体に書き込む書き込み部を有する。
【０００７】
好適には、外部装置と通信する通信部をさらに有し、前記書き込み部は、さらに、前記通信部を介して前記外部装置から取得した情報、又は外部装置が保有する情報を取得するための情報を含むコードデータを、過去のコードデータに連結させて、前記物に付与された記憶媒体に書き込む。
好適には、前記コードデータは、少なくとも時間を表わす時間情報と、前記物が存在する場所を表わす場所情報と、外部装置が保有する情報を取得するための取得情報と、前記物の流通種別を表わす流通情報と、前記物の所有者を特定するための所有情報と、前記物の属性を表わす属性情報とを含む。
好適には、前記書き込む部により書き込まれたコードデータを読み込む読み込み部をさらに有し、前記書き込み部は、現在の所定の位置又は時間における物の状態を表わすコードデータを、前記読み込み部により読み込まれたコードデータに連結させて、該物に付与された記憶媒体に書き込む。
【０００８】
本発明に係るプログラムは、現在の所定の位置又は時間における物の状態を表わすコードデータを、過去のコードデータに連結させて、該物に付与された記憶媒体に書き込む機能をコンピュータに実現させる。
【０００９】
本発明に係るコードデータ書き込み方法は、現在の所定の位置又は時間における物の状態を表わすコードデータを、過去のコードデータに連結させて、該物に付与された記憶媒体に書き込むステップを有する。
【発明の効果】
【００１０】
本発明によれば、所定の位置並びに時間における物の状態を、コードデータとして、物に付与された記憶媒体に累積的に書き込むことができる。
【図面の簡単な説明】
【００１１】
【図１】広告放送に適用したコードデータを説明する図である。
【図２】コードデータシステム１の全体構成を例示する図である。
【図３】コードデータ書き込みプログラム１００の機能構成を例示する図である。
【図４】コードデータの構造を説明する図である。
【図５】商品の流通に適用したコードデータを説明する図である。
【図６】車の流通に適用したコードデータを説明する図である。
【図７】車販売のホームページ画面６００の構成を例示する図である。
【図８】生鮮食品の流通に適用したコードデータを説明する図である。
【発明を実施するための形態】
【実施例１】
【００１２】
図１は、広告放送に適用したコードデータを説明する図である。
本図は、広告のライフサイクルにおけるＣＭ製作時、放送局内時、放送素材化時、及び放送終了後時に、広告に関連付けられるコードデータを表わしている。
以下、広告のライフサイクルの各フェーズにおけるコードデータについて説明する。なお、コードデータの詳細については、図４を用いて後述する。
【００１３】
広告製作時において、コードデータ７１０は、時間情報２０２として、広告制作時の時間、場所情報２０４として、広告が制作された場所の緯度及び経度（又は、ＩＰアドレス、ドメイン名）、流通情報２０８として、広告製作者を表わす情報、所有情報２１０として、ＣＭコード（広告主を特定する情報と、ＣＭ素材番号とからなる）、属性情報として、ＭＦＸコードを含む。
【００１４】
放送局内時において、コードデータ７２０は、広告製作時におけるコードデータ７１０に連結して、時間情報２０２として、広告が放送局内に入稿された時間、場所情報２０４として、広告が入稿された放送局のある場所の緯度及び経度（又は、ＩＰアドレス、ドメイン名）、所有情報２１０として、契約に基づく、放送回数等を含む。
【００１５】
放送素材化時において、コードデータ７３０は、放送局内時におけるコードデータ７１０及び７２０に連結して、時間情報として、放送時間を含む。
放送終了後時において、コードデータ７４０は、放送素材化時におけるコードデータ７１０、７２０、及び７３０に連結して、属性情報として、視聴率などの放送実績を含む。
【００１６】
かかる場面において、広告のライフサイクルにおけるコードデータは、その広告がどのように製作され、放送されたのかを表わすことができる。また、放送された場所、或いは放送エリア中の特定の地域に応じた広告リンクの生成や、放送時間に応じた広告内容の表示を可能にする。特にキー局で作成された番組を系列局やオンデマンドデータ再放送、再配信する場合に、放送地域や放送時間に応じた広告リンク及び広告内容に切り替える事ができ最新の情報として放送、配信ができる。
【実施例２】
【００１７】
図２は、コードデータシステム１の全体構成を例示する図である。
図２に例示するように、コードデータシステム１は、コードデータ書き込み装置１０（ａ，ｂ，及びｃ）と、データ格納装置３０（ａ，ｂ，及びｃ）とを有する。コードデータ書き込み装置１０は、通信ネットワーク４０を介して、データ格納装置３０に接続している。なお、通信ネットワーク４０は、特に限定するものではなく、例えば、インターネット、携帯電話通信網、ケーブルテレビ（ＣＡＴＶ）網、専用線、及びＬＡＮ（Local Area Network）など通信のタイミングにより最適な１つ又は、複数の通信手段の組み合わせにより実現されればよい。
以下、本図に示される各構成について説明する。
【００１８】
コードデータ書き込み装置１０は、ＣＰＵ及び記憶媒体などを備え、図３を用いて後述するコードデータ書き込みプログラム１００をインストールされている。コードデータ書き込み装置１０は、コードデータ書き込みプログラム１００によって実現される機能により、主に流通過程にある物２０に付与された記憶媒体２２に図４を用いて後述するコードデータを書き込む。このとき、コードデータ書き込み装置１０は、通信ネットワーク４０を介してデータ格納装置３０から取得した情報、又はデータ格納装置３０が保有する情報を取得するための情報を含むコードデータを記憶媒体２２に書き込むこともできる。なお、記憶媒体２２は、特に限定するものではなく、例えば、ＲＦＩＤ（Radio Frequency Identification）タグ、ＱＲコード（登録商標）、バーコード、又はフラッシュメモリなどである。
本例では、コードデータシステム１は、３台のコードデータ書き込み装置１０ａ，ｂ，及びｃを有している。コードデータ書き込み装置１０ｂは、コードデータ書き込み装置１０ａが書き込んだコードデータに連結させて、新たなコードデータを書き込む。また、コードデータ書き込み装置１０ｃは、コードデータ書き込み装置１０ｂが書き込んだコードデータに連結させて、新たなコードデータを書き込む。
このように、コードデータ書き込み装置１０は、過去に書き込まれたコードデータに連結させて、現在の新たなコードデータを書き込む。つまり、コードデータは、コードデータ書き込み装置１０により書き込まれた過去から現在までの情報を保持する。
【００１９】
データ格納装置３０は、データベースを格納している。データ格納装置３０は、コードデータ書き込み装置１０からの要求に応じて、格納しているデータベースに保有する情報をコードデータ書き込み装置１０に取得させる。また、データ格納装置３０は、コードデータ書き込み装置１０からの要求に応じて、データベースに情報を書き込む。
本例では、コードデータシステム１は、３台のデータ格納装置３０ａ，ｂ，及びｃを有している。コードデータ書き込み装置１０ａ，ｂ，及びｃは、それぞれデータ格納装置３０ａ，ｂ，及びｃのいずれかから取得した情報、又はデータ格納装置３０ａ，ｂ，及びｃのいずれかが保有する情報を取得するための情報を含むコードデータを記憶媒体２２に書き込む。
このように、コードデータ書き込み装置１０は、通信ネットワーク４０上に存在するデータ格納装置３０を限定することなく、利用目的、場所、又は回線負荷などに応じて、読み書きするデータ格納装置３０を適宜選択すればよい。
【００２０】
以上説明したように、コードデータ書き込み装置１０は、過去のコードデータに新たなコードデータを連結させることで、所定の位置又は時間における物２０の状態を、コードデータとして、物２０に付与された記憶媒体２２に累積的に書き込むことができる。また、コードデータ書き込み装置１０は、所定の位置又は時間における物２０の状態についての一部情報を、通信ネットワーク４０を介して、データ格納装置３０に格納させることができる。
【００２１】
図３は、コードデータ書き込みプログラム１００の機能構成を例示する図である。
図３に例示するように、コードデータ書き込みプログラム１００は、入力部１０２と、読み込み部１０４と、表示部１０６と、書き込み部１０８と、現在時刻取得部１１０と、現在位置取得部１１２と、通信部１１４とを有する。なお、コードデータ書き込みプログラム１００の一部又は全部の機能は、ＡＳＩＣ等のハードウェアにより実現されてもよい。
以下、本図に示される各構成について説明する。
【００２２】
入力部１０２は、ユーザからの入力を、ボタン、タッチスクリーン、又はキーボードなどの各種入力手段を介して受け付ける。
【００２３】
読み込み部１０４は、入力部１０２が受け付けた入力に応じて、ＲＦＩＤリーダ、ＱＲコードリーダ、バーコードリーダ、又はＵＳＢ（Universal Serial Bus）ポートなどの各種読み取り手段を介して記憶媒体２２からコードデータを読み込む。また、読み込み部１０４は、読み込んだコードデータにデータ格納装置３０が保有する情報を取得するための情報が含まれる場合、この取得するための情報を用いて、通信部１１４を介して、データ格納装置３０が保有する情報を取得する。
【００２４】
表示部１０６は、読み込み部１０４により読み込まれたコードデータ、及びデータ格納装置３０から取得した情報をディスプレイなどの各種出力手段を用いて表示する。
【００２５】
書き込み部１０８は、現在の所定の位置又は時間における物２０の状態を表わすコードデータを、過去のコードデータに連結させて、物２０に付与された記憶媒体２２に書き込む。なお、書き込み部１０８は、ＲＦＩＤライタ、ＱＲコード（登録商標）ドプリンタ、バーコードプリンタ、又はＵＳＢポートなどの各種書き込み手段を介して記憶媒体２２にコードデータを書き込む。
本例では、書き込み部１０８は、入力部１０２が受け付けた入力に応じて、コードデータを生成し、生成したコードデータを、読み込み部１４により読み込まれたコードデータに連結させて、物２０に付与された記憶媒体２２に書き込む。なお、書き込み部１０８は、コードデータの生成において、現在時刻取得部１１０により取得された現在時刻、及び現在位置取得部１１２により取得された現在位置の情報を、生成するコードデータに含める。さらに、書き込み部１０８は、入力部１０２が受け付けた入力に応じて、通信部１１４を介してデータ格納装置３０から情報を取得し、取得した情報を、生成するコードデータに含めることも可能である。また、書き込み部１０８は、入力部１０２が受け付けた入力に応じて、通信部１１４を介してデータ格納装置３０に情報を書き込ませ、書き込ませた情報又はあらかじめ書き込まれていた情報をデータ格納装置３０から取得するための情報を、生成するコードデータに含めることも可能である。
【００２６】
現在時刻取得部１１０は、現在時刻を、内部時計又はＮＴＰ（Network Time Protocol）サーバなどから取得する。
【００２７】
現在位置取得部１１２は、コードデータ書き込み装置１０が存在する現在位置（例えば、緯度及び経度など）を、ＧＰＳ（Global Positioning System）機能などを用いて取得する。
【００２８】
通信部１１４は、通信ネットワーク４０を介して、データ格納装置３０との相互通信接続を確立する。
【００２９】
以上説明した構成により、コードデータ書き込み装置１０は、物２０に付与されている記憶媒体２２からコードデータを読み込み、読み込んだコードデータを表示することができる。ユーザは、この表示されたコードデータを確認しながら、新たなコードデータを書き込むための入力を行う。そして、コードデータ書き込み装置１０は、ユーザからの入力に応じて、コードデータを生成し、生成したコードデータを読み込んだコードデータに連結させて、記憶媒体２２に書き込むことができる。
【００３０】
図４は、コードデータの構造を説明する図である。
図４に例示するように、コードデータは、時間情報２０２と、場所情報２０４と、取得情報２０６と、流通情報２０８と、所有情報２１０と、属性情報２１２とを含む。  以下、本図に示される各情報について説明する。
【００３１】
時間情報２０２は、時間を表わす。
本例では、時間情報２０２は、コードデータ書き込み装置１０がコードデータを書き込むときの現在時刻を表わす。
【００３２】
場所情報２０４は、物２０が存在する場所を表わす。
本例では、場所情報２０４は、コードデータ書き込み装置１０がコードデータを書き込むときの、コードデータ書き込み装置１０が存在する現在位置を、物２０が存在する場所として表わす。
【００３３】
取得情報２０６は、外部装置が保有する情報を取得するための情報を表わす。
本例では、取得情報２０６は、データ格納装置３０が保有する情報を取得するための、例えば、データ格納装置３０に接続するためのＩＰアドレス又はＵＲＬ、ユーザＩＤ、パスワード、データベース名、及びデータ格納装置３０が保有する情報を特定するための識別情報などの各種情報を表わす。
【００３４】
流通情報２０８は、物２０の流通種別を表わす。例えば、流通情報２０８は、流通業の会社コード又はメーカコードなどを表わす。
【００３５】
所有情報２１０は、物２０の所有者を特定するための情報を表わす。例えば、所有情報２１０は、流通における製造企業、販売企業、顧客などを特定するための識別情報を表わす。
【００３６】
属性情報２１２は、物２０の属性を表わす。例えば、属性情報２１２は、物２０の画像、価格、大きさ、品質、又は説明などを表わす。
【００３７】
図５は、商品の流通に適用したコードデータを説明する図である。
本図は、商品の流通における商品生産時、問屋入庫時、小売店入庫時、消費者購入時、及び廃棄回収時に、コードデータ書き込み装置１０を用いて商品に付与された記憶媒体に書き込まれるコードデータを表わしている。
以下、各流通フェーズにおけるコードデータについて説明する。
【００３８】
商品生産時において、コードデータ３１０は、時間情報２０２として、商品生産時の時間、場所情報２０４として、商品が生産された場所の緯度及び経度、流通情報２０８として、商品の流通種別を表わす流通コード、所有情報２１０として、商品の生産企業を特定するための企業コード、並びに属性情報２１２として、商品の属性を表わす情報を含む。
【００３９】
問屋入庫時において、コードデータ３２０は、商品生産時におけるコードデータ３１０に連結して、時間情報２０２として、商品を問屋へ入庫したときの時間、場所情報２０４として、商品が入庫された問屋のある場所の緯度及び経度、流通情報２０８として、商品の流通種別を表わす流通コード、所有情報２１０として、商品が入庫された問屋を特定するための企業コード、並びに属性情報２１２として、商品の属性を表わす情報を含む。
【００４０】
小売店入庫時において、コードデータ３３０は、問屋入庫時におけるコードデータ３１０及び３２０に連結して、時間情報２０２として、商品を小売店へ入庫したときの時間、場所情報２０４として、商品が入庫された小売店のある場所の緯度及び経度、流通情報２０８として、商品の流通種別を表わす流通コード、所有情報２１０として、商品が入庫された小売店を特定するための企業コード、並びに属性情報２１２として、商品の属性を表わす情報を含む。
【００４１】
消費者購入時において、コードデータ３４０は、小売店入庫時におけるコードデータ３１０、３２０、及び３３０に連結して、時間情報２０２として、商品を消費者が購入したときの時間、場所情報２０４として、消費者が購入した商品を所有する場所の緯度及び経度、流通情報２０８として、商品の流通種別を表わす流通コード、所有情報２１０として、商品を購入した消費者を特定するための顧客コード、並びに属性情報２１２として、商品の属性を表わす情報を含む。
【００４２】
廃棄回収時において、コードデータ３５０は、消費者購入時におけるコードデータ３１０、３２０、３３０、及び３４０に連結して、時間情報２０２として、商品を廃棄業者が回収したときの時間、場所情報２０４として、廃棄業者が回収した商品を所有する場所の緯度及び経度、流通情報２０８として、商品の流通種別を表わす流通コード、所有情報２１０として、商品を回収した廃棄業者を特定するための企業コード、並びに属性情報２１２として、商品の属性を表わす情報を含む。
【００４３】
かかる場面において、商品の流通におけるコードデータは、その商品がどのような過程を経て現在の流通フェーズに至るのかを表わすことができる。これにより、人は、コードデータを参照するだけで、商品の流通における経歴を知ることができ、安心して商品を手に入れることができる。また、人は、ある商品が流通においてどのような経路で出回ったのかを、コードデータの情報を集めることで知ることができる。
【００４４】
図６は、車の流通に適用したコードデータを説明する図である。
本図は、車の流通における車製造時、ディーラ入庫時、消費者購入時、消費者利用時、及び車売却時に、コードデータ書き込み装置１０を用いて車に付与（内蔵）された記憶媒体に書き込まれるコードデータを表わしている。
以下、各流通フェーズにおけるコードデータについて説明する。
【００４５】
車製造時において、コードデータ４１０は、時間情報２０２として、車製造時の時間、場所情報２０４として、車が製造された場所の緯度及び経度、流通情報２０８として、車の流通種別を表わす流通コード、所有情報２１０として、車の製造企業を特定するための企業コード、並びに属性情報２１２として、車の属性を表わす情報を含む。
【００４６】
ディーラ入庫時において、コードデータ４２０は、車製造時におけるコードデータ４１０に連結して、時間情報２０２として、車をディーラへ入庫したときの時間、場所情報２０４として、車が入庫されたディーラのある場所の緯度及び経度、流通情報２０８として、車の流通種別を表わす流通コード、所有情報２１０として、車が入庫されたディーラを特定するための企業コード、並びに属性情報２１２として、車の属性を表わす情報を含む。
【００４７】
消費者購入時において、コードデータ４３０は、ディーラ入庫時におけるコードデータ４１０及び４２０に連結して、時間情報２０２として、車を消費者が購入したときの時間、場所情報２０４として、消費者が購入した車を所有する場所の緯度及び経度、流通情報２０８として、車の流通種別を表わす流通コード、所有情報２１０として、車を購入した消費者を特定するための顧客コード、並びに属性情報２１２として、車の属性を表わす情報を含む。
【００４８】
消費者利用時において、コードデータ４４０は、消費者購入時におけるコードデータ４１０、４２０、及び４３０に連結して、時間情報２０２として、車を利用しているときの時間、場所情報２０４として、消費者が利用している車のある場所の緯度及び経度、流通情報２０８として、車の流通種別を表わす流通コード、所有情報２１０として、車を購入した消費者を特定するための顧客コード、並びに属性情報２１２として、車の属性を表わす情報を含む。
このようなコードデータを、コードデータ書き込み装置１０は、車の走行距離又は現在時刻などに応じた任意のタイミングで、車の利用期間中、車に付与された記憶媒体に累積的に書き込む。なお、コードデータ書き込み装置１０は、利用期間中に累積的に書き込まれたコードデータを、一定間隔又は車の点検時などのタイミングでデータ格納装置３０にまとめて格納させ、この格納されたコードデータを、取得情報２０６を参照して取得できるようにしてもよい。
【００４９】
車売却時において、コードデータ４５０は、消費者利用時におけるコードデータ４１０、４２０、及び４３０に連結して、時間情報２０２として、車を売却したときの時間、場所情報２０４として、消費者が売却した車のある場所の緯度及び経度、流通情報２０８として、車の流通種別を表わす流通コード、所有情報２１０として、車を購入した企業を特定するための企業コード、並びに属性情報２１２として、車の属性を表わす情報を含む。なお、本例では、プライバシーの観点から、利用期間中に書き込まれたコードデータ４４０は、車売却時において削除されている。
【００５０】
かかる場面において、車の流通におけるコードデータは、その車がどのような過程を経て現在の流通フェーズに至るのかを表わすことができる。特に、コードデータ書き込み装置１０が利用期間中にコードデータを累積的に書き込むことにより、人は、車に付与されたコードデータを参照するだけで、その車がどのように利用されたのかを知ることができ、故障原因の特定又は犯罪捜査などへの利用が期待される。また、車の製造企業は、コードデータの情報を収集することで、リコール対象車が現在どこにあり、どのように利用されているかを知ることができ、リコール対象車を漏れなく改修することができる。
【００５１】
図７は、中古車販売のホームページ画面６００の構成を例示する図である。
図７に例示するように、中古車販売のホームページ画面６００は、図６に例示した車売却時のコードデータ４１０、４２０、４３０、及び４５０に含まれる情報をもとに、車の画像６１０と、販売店の表記６２０と、流通経路６３０と、中古車説明６４０とから構成されている。
以下、中古車販売のホームページ画面６００の各構成について説明する。
【００５２】
車の画像６１０は、車売却時に書き込まれたコードデータ４５０の属性情報２１２に含まれる情報である。つまり、車の画像６１０は、車売却時における車の状態を、画像で表わしている。
【００５３】
販売店の表記６２０は、車売却時に書き込まれたコードデータ４５０の所有情報２１０に含まれる企業コードから特定される企業の販売店を表わす。このとき、販売店の表記６２０は、ホームページ画面６００を閲覧するユーザの所在地に最も近い企業の販売店を表わすことが好ましい。
【００５４】
流通経路６３０は、車製造時、ディーラ入庫時、消費者購入時、及び車売却時に書き込まれたコードデータ４１０、４２０、４３０、及び４５０に含まれる時間情報、場所情報、流通情報、及び所有情報を、時間情報に基づいて時系列で表わす。
【００５５】
中古車説明６４０は、車製造時、ディーラ入庫時、消費者購入時、及び車売却時に書き込まれたコードデータ４１０、４２０、４３０、及び４５０に含まれる属性情報（例えば、車種、年式、走行距離、排気量、車検の有無、修理歴など）を表わす。
【００５６】
以上説明したように、人は、物２０に付与されたコードデータに含まれる情報を用いて、物２０を販売するホームページ上の販売サイトなどを容易に作成することができる。さらに、応用的には、人は、物２０に付与されたコードデータに含まれる情報から、物２０を販売するホームページをコンピュータに自動生成させることも可能である。
【００５７】
図８は、生鮮食品の流通に適用したコードデータを説明する図である。
本図は、生鮮食品の流通における水揚げ時、市場卸売時、加工時、小売時、及び消費者購入時に、コードデータ書き込み装置１０を用いて生鮮食品に付与された記憶媒体に書き込まれるコードデータを表わしている。
以下、各流通フェーズにおけるコードデータについて説明する。
【００５８】
水揚げ時において、コードデータ５１０ａ、ｂ、及びｃは、時間情報２０２として、魚介類が水揚げされたときの時間、場所情報２０４として、魚介類が水揚げされた場所の緯度及び経度、流通情報２０８として、生鮮食品の流通種別を表わす流通コード、所有情報２１０として、水揚げ業者を特定するための業者コード、並びに属性情報２１２として、魚介類の属性を表わす情報を含む。
【００５９】
市場卸売時において、コードデータ５２０ａ、ｂ、及びｃは、それぞれ水揚げ時におけるコードデータ５１０ａ、ｂ、及びｃに連結して、時間情報２０２として、魚介類を市場に置いたときの時間、場所情報２０４として、魚介類が置かれた市場のある場所の緯度及び経度、流通情報２０８として、生鮮食品の流通種別を表わす流通コード、所有情報２１０として、魚介類が置かれた市場を特定するための市場コード、並びに属性情報２１２として、魚介類の属性を表わす情報を含む。
【００６０】
加工時において、加工業者は、仕入れた魚介類に付与された記憶媒体に書き込まれているコードデータを、データ格納装置３０が保有する仕入データベース５３５（仕入ＤＢ５３５）に格納する。そして、加工業者は、コードデータ書き込み装置１０を用いて、仕入れた魚介類を加工製造した生鮮食品に付与した記憶媒体にコードデータ５３０を書き込む。このとき書き込まれるコードデータ５３０は、時間情報２０２として、加工業者が魚介類を加工したときの時間、場所情報２０４として、加工業者が魚介類を加工した場所の緯度及び経度、取得情報２０６は、加工された生鮮食品に含まれる魚介類に付与された記憶媒体に書き込まれていたコードデータを仕入ＤＢ５３５から取得するための情報、流通情報２０８として、生鮮食品の流通種別を表わす流通コード、所有情報２１０として、加工業者を特定するための業者コード、並びに属性情報２１２として、生鮮食品の属性を表わす情報を含む。
【００６１】
小売時において、コードデータ５４０は、加工時におけるコードデータ５３０に連結して、時間情報２０２として、生鮮食品を小売店に入庫したときの時間、場所情報２０４として、生鮮食品が入庫された小売店のある場所の緯度及び経度、流通情報２０８として、生鮮食品の流通種別を表わす流通コード、所有情報２１０として、生鮮食品が入庫された小売店を特定するための企業コード、並びに属性情報２１２として、生鮮食品の属性を表わす情報を含む。
【００６２】
消費者購入時において、コードデータ５５０は、小売時におけるコードデータ５３０及び５４０に連結して、時間情報２０２として、生鮮食品を消費者が購入したときの時間、場所情報２０４として、消費者が購入した生鮮食品を所有する場所の緯度及び経度、流通情報２０８として、生鮮食品の流通種別を表わす流通コード、所有情報２１０として、生鮮食品を購入した消費者を特定するための顧客コード、並びに属性情報２１２として、生鮮食品の属性を表わす情報を含む。
【００６３】
かかる場面において、生鮮食品の流通におけるコードデータは、その生鮮食品（加工前は魚介類）がどのような過程を経て現在の流通フェーズに至るのかを表わすことができる。特に、加工時において生鮮食品に含まれる魚介類のコードデータを、取得情報２０６により、生鮮食品のコードデータに紐付けすることで、人は、生鮮食品のコードデータを参照することで、その生鮮食品がどこで加工製造され、さらにどこで水揚げされた魚介類を用いて加工製造されたのかを知ることができ、安心して生鮮食品を手に入れることができる。
【００６４】
以上説明したように、コードデータ書き込み装置１０は、これまでに例示したさまざまな流通形態に適用可能な汎用的な構造をもつコードデータを、物２０に付与された記憶媒体２２に累積的に書き込むことができる。
【符号の説明】
【００６５】
１      コードデータシステム
１０    コードデータ書き込み装置
２０    物
２２    記憶媒体
３０    データ格納装置
４０    通信ネットワーク
１００  コードデータ書き込みプログラム
１０２  入力部
１０４  読み込み部
１０６  表示部
１０８  書き込み部
１１０  現在時刻取得部
１１２  現在位置取得部
１１４  通信部
２０２  時間情報
２０４  場所情報
２０６  取得情報
２０８  流通情報
２１０  所有情報
２１２  属性情報
６００  中古車販売のホームページ
６１０  車の画像
６２０  販売店の表記
６３０  流通経路
６４０  中古車説明
【図１】
2014010595.tif 000003
【図２】
2014010595.tif 000004
【図３】
2014010595.tif 000005
【図４】
2014010595.tif 000006
【図５】
2014010595.tif 000007
【図６】
2014010595.tif 000008
【図７】
2014010595.tif 000009
【図８】
2014010595.tif 000010